(57)【要約】【課題】単純構造で安価な、送受信性能に優れた無線通信装置を提供する。【解決手段】筐体１０００と、筐体１０００の内部のうち、筐体１０００の中心よりも筐体１０００の表面に近い側に、予め定められた用途のために設けられたヒートシンク１０であって、ヒートシンク１０の一部によって、無線信号を送信又は受信するための逆Ｆアンテナ２０Ａ、２０Ｂが形成されるように、ヒートシンク１０が切り欠かれたヒートシンク１０と、ヒートシンク１０に形成された逆Ｆアンテナ２０Ａ、２０Ｂを用いて、無線信号を送信又は受信する無線信号送受信部２０１と、を備える。【選択図】図２
2015050580.tif 000002
【特許請求の範囲】
【請求項１】
筐体と、
前記筐体の内部のうち、当該筐体の中心よりも当該筐体の表面に近い側に、予め定められた用途のために設けられた導電性部材であって、当該導電性部材の一部によって、無線信号を送信又は受信するためのアンテナが形成されるように、前記導電性部材が切り欠かれた導電性部材と、
前記導電性部材に形成された前記アンテナを用いて、前記無線信号を送信又は受信する無線通信部と、を備える
無線通信装置。
【請求項２】
前記導電性部材は、地面と平行な平行面を有しており、且つ、前記アンテナとして、前記平行面が切り欠かれることによって、当該平行面の一部によって形成された平行面アンテナを有している
請求項１に記載の無線通信装置。
【請求項３】
前記平行面アンテナは、前記平行面から切り起こされている
請求項２に記載の無線通信装置。
【請求項４】
前記導電性部材は、地面と垂直な垂直面を有しており、且つ、前記アンテナとして、前記垂直面が切り欠かれることによって、当該垂直面の一部によって形成された垂直面アンテナを有している
請求項１に記載の無線通信装置。
【請求項５】
前記垂直面アンテナは、前記垂直面から切り起こされている
請求項４に記載の無線通信装置。
【請求項６】
前記導電性部材は、地面と平行な平行面と、前記平行面の端部から前記筐体に向けて斜め下方向に延びる傾斜面を有しており、前記傾斜面の一部によって前記アンテナが形成されるように、前記傾斜面が切り欠かれている
請求項１に記載の無線通信装置。
【請求項７】
前記導電性部材は、地面と平行な平行面と、前記地面と垂直な垂直面とを有しており、且つ、前記アンテナとして、前記平行面が切り欠かれることによって形成された平行面アンテナ、及び、前記垂直面が切り欠かれることによって形成された垂直面アンテナの両方を有している
請求項１に記載の無線通信装置。
【請求項８】
前記平行面アンテナと前記垂直面アンテナとは、偏波ダイバーシティアンテナを構成している
請求項７に記載の無線通信装置。
【請求項９】
前記アンテナは、逆Ｆアンテナである
請求項１〜８のいずれか１項に記載の無線通信装置。
【請求項１０】
前記導電性部材は、地面と平行な平行面と、前記地面と垂直に設けられ互いに対向する２つの垂直面と、を有し、回路基板に実装された電子部品を覆うように、且つ、前記平行面が前記電子部品と接触するように、前記回路基板に取り付けられるヒートシンクである
請求項１〜９のいずれか１項に記載の無線通信装置。
【請求項１１】
前記導電性部材は、地面と平行な平行面と、前記地面と垂直に設けられ互いに対向する２つの垂直面とを有し、回路基板に実装された電子部品を覆うように、前記回路基板に取り付けられる電磁シールドケースである
請求項１〜９のいずれか１項に記載の無線通信装置。
【請求項１２】
さらに、略直方体形状であり、上面、下面、及び２つの側面を有する液晶モジュールを備え、
前記導電性部材は、前記液晶モジュールの上面を覆い、且つ、地面と平行な平行面を有する上部外枠、前記液晶モジュールの下面を覆い且つ前記平行面を有する下部外枠、及び、前記液晶モジュールの前記各側面を覆い、且つ、前記地面と垂直な垂直面を有する２つの側部外枠である
請求項１〜９のいずれか１項に記載の無線通信装置。
【発明の詳細な説明】
【技術分野】
【０００１】
本発明は、無線通信装置に関する。
【背景技術】
【０００２】
Ｗｉ−Ｆｉ（Ｗｉｒｅｌｅｓｓ  Ｆｉｄｅｌｉｔｙ）規格や、ブルートゥース（Ｂｌｕｅｔｏｏｔｈ（登録商標））規格に準拠した無線通信装置では、薄型化やデザイン性が要求されている。この種の要求に応える形で、アンテナを、筐体外部に設けずに筐体内部に設けた無線通信装置が開発されている。
【０００３】
筐体内部に設けられたアンテナの一例として、特許文献１に記載されたアンテナ一体型モジュールが存在する。このアンテナ一体型モジュールでは、回路基板のほぼ前面を覆うように、当該回路基板に、アンテナとして機能する板金製のカバーが取り付けられている。
【先行技術文献】
【特許文献】
【０００４】
【特許文献１】特開２００５−５８６６号公報
【発明の概要】
【発明が解決しようとする課題】
【０００５】
一般に、アンテナは、筐体内部の中心部よりも筐体表面に近いほうが、筐体内部の電子部品から生じるノイズなどの影響を受けにくいので、無線信号の送受信特性に優れる。
【０００６】
上述した特許文献１によれば、アンテナとして機能する板金製のカバーを回路基板に取り付けているが、上述したように、無線通信装置の薄型化が要求されているので、筐体表面に近い位置に、前記カバーを取り付けるためのスペースが確保できない場合がある。
【０００７】
また、筐体表面に近い位置には、ノイズ対策のシールドプレートや、放熱のためのヒートシンクが取り付けられている場合があり、その場合には、前記カバーを取り付けるためのスペースをより確保しにくい。また、板金製のカバーを、無線通信装置の電子部品とは別に製造するのにはコストがかかる。
【０００８】
本発明は、上述の課題を解決するためになされたものであり、単純構造で安価な、送受信性能に優れた無線通信装置を提供することを目的とする。
【課題を解決するための手段】
【０００９】
上記目的を達成するために、本発明の一態様に係る無線通信装置は、筐体と、前記筐体の内部のうち、当該筐体の中心よりも当該筐体の表面に近い側に、予め定められた用途のために設けられた導電性部材であって、当該導電性部材の一部によって、無線信号を送信又は受信するためのアンテナが形成されるように、前記導電性部材が切り欠かれた導電性部材と、前記導電性部材に形成された前記アンテナを用いて、前記無線信号を送信又は受信する無線通信部と、を備える。
【００１０】
この構成によると、予め定められた用途のために、筐体内部の中心部よりも筐体表面側にすでに設けられている導電性部材の一部によってアンテナが形成されるように、導電性部材に切り欠きを設けている。
【００１１】
そのため、アンテナを形成するための新たな部材や、それを配置するためのスペースを新たに確保する必要がなく、筐体表面に近い位置にアンテナを形成することができる。また、導電性部材の一部によってアンテナが形成されるように切り欠きを設けるだけで、アンテナが形成されるため、アンテナの構造が単純構造となる。
【００１２】
その結果、単純構造で安価な、送受信性能に優れた無線通信装置を提供することができる。
【００１３】
また、前記導電性部材は、地面と平行な平行面を有しており、且つ、前記アンテナとして、前記平行面が切り欠かれることによって、当該平行面の一部によって形成された平行面アンテナを有している。
【００１４】
この構成によると、導電性部材が有する、地面と平行な平行面を切り欠くことによって、当該平行面の一部によってアンテナを形成している。
【００１５】
そのため、アンテナが、地面に対して水平に形成されるので、当該アンテナを通じて、垂直偏波信号を送受信することができる。
【００１６】
また、前記平行面アンテナは、前記平行面から切り起こされている。
【００１７】
この構成によると、平行面アンテナは、平行面から切り起こされている。
【００１８】
そのため、平行面が、筐体の平行面（つまり、筐体の上面及び下面のいずれか一方又は両方）と対向している場合に、平行面アンテナが筐体の平行面に向かう状態となるので、より、筐体の平行面に近い位置で無線信号を送受信することができる。その結果、より良好な送受信性能を確保することができる。
【００１９】
また、前記導電性部材は、地面と垂直な垂直面を有しており、且つ、前記アンテナとして、前記垂直面が切り欠かれることによって、当該垂直面の一部によって形成された垂直面アンテナを有している。
【００２０】
この構成によると、導電性部材が有する、地面と垂直な垂直面を切り欠くことによって、当該垂直面の一部によってアンテナを形成している。
【００２１】
そのため、アンテナが、地面に対して垂直に形成されるので、当該アンテナを通じて、水平偏波信号を送受信することができる。
【００２２】
また、前記垂直面アンテナは、前記垂直面から切り起こされている。
【００２３】
この構成によると、垂直面アンテナは、垂直面から切り起こされている。
【００２４】
そのため、垂直面が、筐体の垂直面（つまり、筐体の側面）と対向している場合に、垂直面アンテナが筐体の垂直面に向かう状態となるので、より、筐体の垂直面に近い位置で無線信号を送受信することができる。その結果、より良好な送受信性能を確保することができる。
【００２５】
また、前記導電性部材は、地面と平行な平行面と、前記平行面の端部から前記筐体に向けて斜め下方向に延びる傾斜面を有しており、前記傾斜面の一部によって前記アンテナが形成されるように、前記傾斜面が切り欠かれている。
【００２６】
この構成によると、平行面の端部から筐体表面に向けて延びる傾斜面に、アンテナが形成されているので、１つのアンテナで、垂直偏波信号と水平偏波信号とを送受信することができる。これにより、アンテナを形成するコストをより低減させることができる。
【００２７】
また、前記導電性部材は、地面と平行な平行面と、前記地面と垂直な垂直面とを有しており、且つ、前記アンテナとして、前記平行面が切り欠かれることによって形成された平行面アンテナ、及び、前記垂直面が切り欠かれることによって形成された垂直面アンテナの両方を有している。
【００２８】
この構成によると、水平面アンテナと垂直面アンテナの両方を有しているので、垂直偏波信号と水平偏波信号とを同時に送信又は受信することができる。
【００２９】
また、前記平行面アンテナと前記垂直面アンテナとは、偏波ダイバーシティアンテナを構成している。
【００３０】
この構成によると、平行面アンテナと垂直面アンテナとで偏波ダイバーシティアンテナが構成されているので、平行面アンテナで捉えた無線信号と、垂直面アンテナで捉えた無線信号とのうち、電波状況の優れた無線信号を優先的に用いたり、受信した両信号を合成してノイズを除去したりすることができる。その結果、無線通信の質の向上を図ることができる。
【００３１】
また、前記アンテナは、逆Ｆアンテナである。
【００３２】
一般に、アンテナは、無線ＬＡＮ（Ｌｏｃａｌ  Ａｒｅａ  Ｎｅｔｗｏｒｋ）規格に準拠した通信や、ブルートゥース規格に準拠した通信を行うには、波長のおよそ半分の長さを必要とする。例えば、波長が１２．５ｃｍの場合には、アンテナは、その半分のおよそ６ｃｍの長さを必要とする。
【００３３】
しかしながら、このような長いアンテナを筐体内部に設けるには、スペース上の制約がある。また、高価である。
【００３４】
この構成によると、アンテナは逆Ｆアンテナであるので、アンテナの長さは、波長の１／４や１／８の長さで済むので、アンテナの設置スペースが制約を受けにくくなる。また、余分なコストを抑制することができる。
【００３５】
また、前記導電性部材は、地面と平行な平行面と、前記地面と垂直に設けられ互いに対向する２つの垂直面と、を有し、回路基板に実装された電子部品を覆うように、且つ、前記平行面が前記電子部品と接触するように、前記回路基板に取り付けられるヒートシンクである。
【００３６】
この構成によると、導電性部材は、回路基板に実装された電子部品を覆うように、且つ、平行面が電子部品と接触するように、回路基板に取り付けられるヒートシンクである。
【００３７】
この種のヒートシンクは、電子部品で生じた熱を筐体外部へ逃がすために筐体表面に近い位置に設けられることが多い。そのため、筐体内部において筐体表面に近い位置にアンテナを設けることができるので、無線信号の送受信性能が向上する。
【００３８】
また、前記導電性部材は、地面と平行な平行面と、前記地面と垂直に設けられ互いに対向する２つの垂直面とを有し、回路基板に実装された電子部品を覆うように、前記回路基板に取り付けられる電磁シールドケースである。
【００３９】
この構成によると、導電性部材は、回路基板に実装された電子部品を覆うように、回路基板に取り付けられる電磁シールドケースである。
【００４０】
一般に、電磁シールドケースは、電子部品が筐体表面に近い位置の回路基板に実装されている場合、その電子部品を筐体外部から電磁的に隔離するために、筐体表面に近い位置に設けられる。そのため、筐体内部において筐体表面に近い位置にアンテナを設けることができるので、無線信号の送受信性能が向上する。
【００４１】
また、さらに、略直方体形状であり、上面、下面、及び２つの側面を有する液晶モジュールを備え、前記導電性部材は、前記液晶モジュールの上面を覆い、且つ、地面と平行な平行面を有する上部外枠、前記液晶モジュールの下面を覆い且つ前記平行面を有する下部外枠、及び、前記液晶モジュールの前記各側面を覆い、且つ、前記地面と垂直な垂直面を有する２つの側部外枠である。
【００４２】
一般に、液晶モジュールは、当該液晶モジュールが有する液晶セルが筐体の外部に露出する必要があるため、筐体表面に近い位置に設けられる。
【００４３】
この構成によると、導電性部材は、略直方体形状の液晶モジュールの４つの外枠であり、それぞれの外枠にアンテナを形成することができるので、筐体表面に近い位置にアンテナを設けることができる。その結果、無線信号の送受信性能が向上する。
【発明の効果】
【００４４】
発明によると、単純構造で安価な、送受信性能に優れた無線通信装置を提供することができる。
【図面の簡単な説明】
【００４５】
【図１】本発明の実施の形態１に係るテレビジョン受像機を用いたビデオオンデマンドシステムのシステム構成の一例を示したシステム構成図である。
【図２】本発明の実施の形態１に係るテレビジョン受像機の主要部の構成を模式的に示した斜視図である。
【図３Ａ】ヒートシンクのうち、逆Ｆアンテナが形成された部分を拡大した状態を示した部分拡大図である。
【図３Ｂ】ヒートシンクのうち、逆Ｆアンテナが形成された部分を拡大した状態を示した部分拡大図である。
【図４Ａ】平行面及び垂直面に形成された逆Ｆアンテナの垂直方向の指向性を模式的に表した図である。
【図４Ｂ】垂直面に形成された逆Ｆアンテナの水平方向の指向性を模式的に表した図である。
【図５】本発明の変形例におけるテレビジョン受像機の主要部の構成を模式的に示した斜視図である。
【図６Ａ】液晶モジュールの上部外枠のうち、逆Ｆアンテナが形成された部分を拡大した状態を示した部分拡大図である。
【図６Ｂ】液晶モジュールの右部外枠のうち、逆Ｆアンテナが形成された部分を拡大した状態を示した部分拡大図である。
【図７】本発明の実施の形態２に係るテレビジョン受像機の主要部の構成を模式的に示した斜視図である。
【図８】本発明の実施の形態３に係るテレビジョン受像機の主要部の構成を模式的に示した斜視図である。
【図９】ヒートシンクのうち、逆Ｆアンテナが形成された部分を拡大した状態を示した部分拡大図である。
【発明を実施するための形態】
【００４６】
以下、本発明の実施の形態について、図面を用いて詳細に説明する。なお、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００４７】
さらに、以下の説明では、本発明の実施の形態に係る無線通信装置として、無線通信機能を有するテレビジョン受像機を例示しているが、本発明ではこの例には限られず、無線通信機能を備える装置全般に適用することができる。
【００４８】
（実施の形態１）
＜無線通信装置の構成＞
図１は、本発明の実施の形態１に係るテレビジョン受像機１を用いたビデオオンデマンドシステムのシステム構成の一例を示したシステム構成図である。図２は、本発明の実施の形態１に係るテレビジョン受像機１の主要部の構成を模式的に示した斜視図である。
【００４９】
図１において、テレビジョン受像機１は、図示しない無線ＬＡＮ子機を内蔵しており、無線ＬＡＮ親機２との間で、所定の通信プロトコル（例えば、イーサネット（登録商標）の規格に準拠したプロトコル）を通じて無線通信を行う。無線ＬＡＮ親機２はルータ３に接続されている。
【００５０】
ルータ３は、通信ネットワーク（例えば、インターネット）Ｎを通じて受信した情報を無線ＬＡＮ親機２に送信する。無線ＬＡＮ親機２は、これを受けて、ルータ３から送信された情報を、無線信号の形でテレビジョン受像機１に送信する。
【００５１】
通信ネットワークＮには、オンデマンドコンテンツサーバ４が接続されている。オンデマンドコンテンツサーバ４は、ビデオオンデマンドサービスの提供者によって運営されており、予め、映画などの番組コンテンツを表す情報がジャンル分けされて保存されている。なお、ビデオオンデマンドサービスとしては、例えば、株式会社アクトビラによって提供されているアクトビラ（ａｃＴＶｉｌａ）（登録商標）が挙げられる。
【００５２】
オンデマンドコンテンツサーバ４は、通信ネットワークＮに接続された装置（オンデマンドサービスの契約者の装置）からの要求に応じて、当該装置から指定された番組コンテンツを表す情報を配信する。
【００５３】
このような構成のビデオオンデマンドシステムでは、テレビジョン受像機１側における操作（例えば、リモコンの操作）によって、テレビジョン受像機１が、オンデマンドコンテンツサーバ４にアクセスする。そして、テレビジョン受像機１側においてユーザが観たい番組コンテンツの配信を要求すると、当該番組コンテンツの配信を要求するための情報が、無線信号の形で無線ＬＡＮ親機２に送信される。
【００５４】
無線ＬＡＮ親機２は、これを受けて、テレビジョン受像機１から送信された情報を、ルータ３及び通信ネットワークＮを通じて、オンデマンドコンテンツサーバ４に送信する。
【００５５】
すると、オンデマンドコンテンツサーバ４は、ユーザによって要求された番組コンテンツを、通信ネットワークＮ及びルータ３を介して無線ＬＡＮ親機２に送信する。無線ＬＡＮ親機２は、送信された番組コンテンツを表す情報を、無線信号の形でテレビジョン受像機１に送信する。これにより、テレビジョン受像機１において、ユーザが観たい番組コンテンツを観ることができる。
【００５６】
テレビジョン受像機１は、筐体１０００の内部において、図示しない電子部品が実装された回路基板３００と、回路基板３００上に、電子部品を覆うように回路基板３００上に配置されたヒートシンク１０（導電性部材）と、無線信号送受信部（無線通信部）２０１と、制御部２００と、を備える。なお、図２において、ヒートシンク１０の平行面１００の上方には、筐体１０００の表面が位置している。
【００５７】
回路基板３００は、図示しない筐体１０００の中心部よりも筐体１０００の表面に近い側に設けられている。
【００５８】
ヒートシンク１０は、内部が空洞である構成とされており、電子部品と接触し、且つ、地面と平行な平行面１００と、平行面１００と回路基板３００とを連結するように設けられ、平行面１００と垂直な互いに対向する２つの垂直面１０１と、を備える。ヒートシンク１０は、平行面１００が電子部品と接触することによって、電子部品から生じた熱をヒートシンク１０の外部へ放出する。
【００５９】
無線信号送受信部２０１は、ヒートシンク１０に形成された逆Ｆアンテナを通じて、無線信号を他の無線通信装置と送受信する。
【００６０】
制御部２００は、無線信号送受信部２０１などテレビジョン受像機１の構成要素を統括的に制御する。制御部２００は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などから構成され、ＣＰＵが所定の制御プログラムを実行することにより実現される。
【００６１】
図２に示すように、ヒートシンク１０では、平行面１００及び１つの垂直面１０１に切り欠き１２が形成されることによって、逆Ｆアンテナ２０Ａ（平行面アンテナ）が形成されている。また、１つの垂直面１０１に切り欠き１２が形成されることによって、逆Ｆアンテナ２０Ｂ（垂直面アンテナ）が形成されている。
【００６２】
なお、図２では、１つの垂直面１０１にのみ逆Ｆアンテナ２０Ｂが形成されているが、本発明はこの例には限られず、２つの垂直面１０１に逆Ｆアンテナが形成されていてもよい。
【００６３】
図３Ａは、ヒートシンク１０のうち、逆Ｆアンテナ２０Ａが形成された部分を拡大した状態を示した部分拡大図である。逆Ｆアンテナ２０Ａは、地面と平行なＴ字状の部分１０１Ｄが残るように、平行面１００に切り欠き１２が形成され、且つ、地面と垂直な給電部１０１Ｃが残るように、垂直面１０１に切り欠き１２が形成されることによって形成されている。
【００６４】
また、図３Ｂは、ヒートシンク１０のうち、逆Ｆアンテナ２０Ｂが形成された部分を拡大した状態を示した部分拡大図である。逆Ｆアンテナ２０Ｂは、地面と垂直な逆Ｆ字状の部分が残るように、垂直面１０１に切り欠き１２が形成されることによって形成されている。このとき、逆Ｆ字状の部分がヒートシンク１から脱落しないように、逆Ｆ字状の部分と垂直面１０１とを連結する連結部１０１Ｆが残るように、切り欠き１２が形成される。なお、略直方体形状の部分１０１Ｅは、切り欠き１２が形成されることにより、垂直面１０１から脱落する。
【００６５】
図４Ａは、平行面１００及び垂直面１０１に形成された逆Ｆアンテナ２０Ａの垂直方向の指向性を模式的に表した図である。図４Ｂは、垂直面１０１に形成された逆Ｆアンテナ２０Ｂの水平方向の指向性を模式的に表した図である。なお、図４Ａ及び図４Ｂにおいて、Ｘ軸は垂直方向を表し、Ｙ軸は水平方向を表し、Ｚ軸はヒートシンク１０の手前方向を表している。
【００６６】
これらの逆Ｆアンテナ２０Ａ、２０Ｂは、本体部１０１Ａと、短絡部１０１Ｂと、給電部１０１Ｃとを備える。そして、短絡部１０１Ｂは接地されており、給電部１０１Ｃには、これらの逆Ｆアンテナ２０Ａ、２０Ｂが無線信号を送受信することができるように、高周波電力が供給されている。これにより、逆Ｆアンテナ２０Ａ、２０Ｂが本体部１０１Ａを通じて無線信号を送受信することができる。
【００６７】
逆Ｆアンテナ２０Ａでは、本体部１０１Ａが、地面と平行な平行面１００上に形成されている。したがって、この逆Ｆアンテナ２０Ａの指向性は、地面に対して垂直方向となる。このような垂直方向の指向性を図示したものが、図４ＡにおけるラジエーションＲ１である。
【００６８】
一方の逆Ｆアンテナ２０Ｂでは、本体部１０１Ａが、地面と垂直な垂直面１０１上に形成されている。したがって、この逆Ｆアンテナ２０Ｂの指向性は、地面に対して水平方向となる。このような水平方向の指向性を図示したものが、図４ＢにおけるラジエーションＲ２である。
【００６９】
テレビジョン受像機１では、図２に示すように、逆Ｆアンテナ２０Ａ、２０Ｂのそれぞれの給電部１０１Ｃに、無線信号送受信部（無線通信部）２０１が接続されている。この例では、逆Ｆアンテナ２０Ａと逆Ｆアンテナ２０Ｂとは、いわゆる、偏波ダイバーシティアンテナを構成している。
【００７０】
無線信号送受信部２０１は、逆Ｆアンテナ２０Ａによって受信された無線信号と、アンテナ２０Ｂによって受信された無線信号のうち、電波状況の優れた無線信号を優先的に用いたり、受信した両信号を合成してノイズを除去する。
【００７１】
＜作用＞
逆Ｆアンテナ２０Ａの指向性は、図４Ａに示すようにＸ軸方向（垂直方向）である。よって、逆Ｆアンテナ２０Ａは垂直偏波信号を送受信する。一方で、逆Ｆアンテナ２０Ｂの指向性は、図４Ｂに示すようにＹ軸方向（水平方向）である。よって、逆Ｆアンテナ２０Ｂは水平偏波信号を受信する。
【００７２】
先述したように、逆Ｆアンテナ２０Ａと逆Ｆアンテナ２０Ｂとで偏波ダイバーシティアンテナが構成されているので、無線信号送受信部２０１は、受信した垂直偏波信号と、受信した水平偏波信号とを用いて、テレビジョン受像機１に送信された無線信号の質を高める。
【００７３】
制御部２００は、無線信号送受信部２０１における、無線信号の送信及び受信を制御する。例えば、制御部２００は、無線ＬＡＮ親機２を通じて、番組コンテンツを表す信号を、無線信号の形で受信する。或いは、制御部２００は、ユーザの所望の番組コンテンツの配信を要求するための信号を無線信号の形で、無線ＬＡＮ親機２に送信する。
【００７４】
＜効果＞
この構成によると、先述したように、放熱のために予めテレビジョン受像機１の筐体１０００の表面近くに設けられたヒートシンク１０に切り欠き１２を形成して、逆Ｆアンテナ２０Ａ、２０Ｂを形成する。したがって、単純構造の逆Ｆアンテナ２０Ａ、２０Ｂを、テレビジョン受像機１の筐体１０００の表面近くに設けることができるので、逆Ｆアンテナ２０Ａ、２０Ｂを単純構造とすることができ、且つ、無線信号の送受信性能を高めることができる。
【００７５】
また、予め放熱のために設けられたヒートシンク１０に切り欠き１２を形成して逆Ｆアンテナ２０Ａ、２０Ｂを形成するので、新たにアンテナとして機能する部材を設ける必要がないので、コストがかからない。
【００７６】
その結果、単純構造で安価な、送受信性能に優れた無線通信装置を提供することができる。
【００７７】
なお、本実施の形態１によれば、ヒートシンク１０に逆Ｆアンテナ２０Ａ、２０Ｂを形成しているが、本発明ではこの例には限られない。
【００７８】
例えば、先述した電子部品を外界から電磁的に遮断するために、電子部品を覆うように回路基板上に設けられる電磁シールドケース（導電性部材）に、逆Ｆアンテナ２０Ａ、２０Ｂを形成してもよい。電磁シールドケースに、逆Ｆアンテナ２０Ａ、２０Ｂを形成しても、先述と同様の効果を奏することができる。
【００７９】
（変形例）
図５は、本発明の変形例におけるテレビジョン受像機１Ａの主要部の構成を模式的に示した斜視図である。図６Ａは、液晶モジュール４００の上部外枠４０１Ａのうち、逆Ｆアンテナ２０Ｃが形成された部分を拡大した状態を示した部分拡大図である。図６Ｂは、液晶モジュール４００の右部外枠４０１Ｄのうち、逆Ｆアンテナ２０Ｄが形成された部分を拡大した状態を示した部分拡大図である。
【００８０】
テレビジョン受像機１Ａは、図５に示すように、制御部２００と、無線信号送受信部２０１と、液晶モジュール４００と、を備える。なお、本実施の形態２では、液晶モジュール４００は、当該液晶モジュール４００の４つの外枠４０１Ａ〜４０１Ｄが筐体１０００内に位置し、且つ、液晶セル４０３が筐体１０００の外部に露出するように、テレビジョン受像機１Ａに取り付けられる。
【００８１】
液晶モジュール４００は、液晶セル４０３と、液晶セル４０３の上面を覆う上部外枠４０１Ａと、液晶セル４０３の下面を覆う下部外枠４０１Ｂと、液晶セル４０３の左面を覆う左部（側部）外枠４０１Ｃと、液晶セル４０３の右面を覆う右部（側部）外枠４０１Ｄと、を備える。
【００８２】
上部外枠４０１Ａは地面と平行な外枠である。したがって、上部外枠４０１Ａは、地面と平行な平行面４０１ＡＳを有する。また、右部外枠４０１Ｄは地面と垂直な外枠である。したがって、右部外枠４０１Ｄは、地面と垂直な垂直面４０１ＤＳを有する。
【００８３】
図６Ａに示すように、上部外枠４０１Ａの平行面４０１ＡＳには、逆Ｆ状の部分が残るように切り欠き１２が形成されることにより、逆Ｆアンテナ２０Ｃ（平行面アンテナ）が形成されている。また、図６Ｂに示すように、右部外枠４０１Ｄの垂直面４０１ＤＳには、逆Ｆ状の部分が残るように切り欠き１２が形成されることにより、逆Ｆアンテナ２０Ｄ（垂直面アンテナ）が形成されている。
【００８４】
逆Ｆアンテナ２０Ｃ、２０Ｄは、本体部４０２Ａと、短絡部４０２Ｂと、給電部４０２Ｃとを備える。そして、短絡部４０２Ｂは接地されており、給電部４０２Ｃには、これらの逆Ｆアンテナ２０Ｃ、２０Ｄが無線信号を送受信することができるように、高周波電力が供給されている。これにより、逆Ｆアンテナ２０Ｃ、２０Ｄが本体部４０２Ａを通じて無線信号を送受信することができる。
【００８５】
逆Ｆアンテナ２０Ｃでは、本体部４０２Ａが、地面と平行な平行面４０１ＡＳ上に形成されている。したがって、この逆Ｆアンテナ２０Ｃの指向性は、地面に対して垂直方向となる。一方の逆Ｆアンテナ２０Ｄでは、本体部４０２Ａが、地面と垂直な垂直面４０１ＤＳ上に形成されている。したがって、この逆Ｆアンテナ２０Ｄの指向性は、地面に対して水平方向となる。
【００８６】
逆Ｆアンテナ２０Ｃと逆Ｆアンテナ２０Ｄとは、いわゆる、偏波ダイバーシティアンテナを構成している。
【００８７】
＜効果＞
逆Ｆアンテナ２０Ｃの指向性は、垂直方向であるので、逆Ｆアンテナは垂直偏波信号を送受信する。一方で、逆Ｆアンテナ２０Ｄの指向性は、水平方向であるので、逆Ｆアンテナ２０Ｄは水平偏波信号を受信する。
【００８８】
先述したように、逆Ｆアンテナ２０Ｃと逆Ｆアンテナ２０Ｄとで偏波ダイバーシティアンテナが構成されているので、無線信号送受信部２０１は、受信した垂直偏波信号と、受信した水平偏波信号とを用いて、テレビジョン受像機１Ａに送信された無線信号の質を高める。これにより、先述と同様の効果を奏することができる。
【００８９】
（実施の形態２）
＜無線通信装置の構成＞
図７は、本発明の実施の形態２に係るテレビジョン受像機１Ｂの主要部の構成を模式的に示した斜視図である。この実施の形態２では、ヒートシンク１０の平行面１００のうち、予め定められた範囲（平行面１００において、黒ベタ塗りで示されている範囲）が、当該範囲以外の部分（平行面１００において、黒ベタ塗りされていない範囲）に対して垂直に切り起こされることによって、逆Ｆアンテナ２０Ｅが形成されている。なお、本実施の形態２において、実施の形態１に示した構成要素と同一の構成要素については、同一符号を付して説明を省略する。
【００９０】
この逆Ｆアンテナ２０Ｅは、ヒートシンク１０の平行面１００において、逆Ｆ字状に切り欠き１２を形成し、残った逆Ｆ字状の部分を平行面１００に対して９０度曲げることによって形成される。
【００９１】
この逆Ｆアンテナ２０Ｅも、逆Ｆアンテナ２０Ａ〜２０Ｄと同様に、無線信号送受信部２０１に接続され、且つ、高周波電力が供給される給電部１０１Ｃと、接地された短絡部１０１Ｂと、本体部１０１Ａとを備える。
【００９２】
＜効果＞
この構成のように、ヒートシンク１０の平行面１００に、逆Ｆアンテナ２０Ｅが平行面１００に対して垂直に形成されているため、逆Ｆアンテナ２０Ｅがより筐体１０００（図１参照）の表面と近くなるので、より良好な送受信性能を確保することができる。
【００９３】
なお、本実施の形態２では、ヒートシンク１０の平行面１００のうち、予め定められた範囲が、当該範囲以外の部分に対して垂直に切り起こされることによって、逆Ｆアンテナ２０Ｅが形成されている。しかしながら、本発明ではこの例には限られず、ヒートシンク１０の垂直面１０１のうち、予め定められた範囲が、当該範囲以外の部分に対して垂直に切り起こされることによって、逆Ｆアンテナが形成されていてもよい。
【００９４】
これによっても、垂直面１０１から垂直に切り起こされるようにして形成された逆Ｆアンテナは、ヒートシンク１０の垂直面１０１が筐体１０００の表面（例えば筐体１０００の側面）に近い位置に設けられる場合においては、筐体１０００の表面と近くなるので、より良好な送受信性能を確保することができる。
【００９５】
（実施の形態３）
＜無線通信装置の構成＞
図８は、本発明の実施の形態３に係るテレビジョン受像機１Ｃの主要部の構成を模式的に示した斜視図である。図９は、ヒートシンク１０Ａのうち、逆Ｆアンテナ２０Ｆが形成された部分を拡大した状態を示した部分拡大図である。なお、本実施の形態３において、実施の形態１に示した構成要素と同一の構成要素については、同一符号を付して説明を省略する。
【００９６】
実施の形態３によれば、ヒートシンク１０Ａ（導電性部材）は、傾斜面１０１０と右側面１０１１とを有する。傾斜面１０１０には、図９に示すように、逆Ｆ字状の部分が残るように、傾斜面１０１０に切り欠き１２を形成することによって、逆Ｆアンテナ２０Ｆが形成されている。
【００９７】
なお、実施の形態１では、略直方体形状の部分１０１Ｅは、切り欠き１２が形成されることによりヒートシンク１０から脱落しているが、実施の形態３では、略直方体形状の部分１０１Ｅは、右側面１０１１と連結されているので、ヒートシンク１０Ａからは脱落しない。
【００９８】
＜効果＞
この構成によると、傾斜面１０１０に逆Ｆアンテナ２０Ｆが形成されているので、逆Ｆアンテナ２０Ｆの指向性は、水平方向及び垂直方向となる。したがって、１つの逆Ｆアンテナ２０Ｆで、垂直偏波信号と水平偏波信号とを送受信することができるので、アンテナを形成するコストをより低減させることができる。
【００９９】
なお、上述の説明では、アンテナの形状として、逆Ｆアンテナを例示したが、この例には限られず、Ｌ字形状、Ｕ字形状、メアンダライン形状であってもよい。
【０１００】
以上、本発明の無線通信装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１０１】
本発明は、薄型化且つ送受信性能の向上が望まれる無線通信装置全般に適用することができる。
【符号の説明】
【０１０２】
１、１Ａ、１Ｂ、１Ｃ  テレビジョン受像機
２  無線ＬＡＮ親機
３  ルータ
４  オンデマンドコンテンツサーバ
１０、１０Ａ  ヒートシンク
１２  切り欠き
２０Ａ、２０Ｂ、２０Ｃ、２０Ｄ、２０Ｅ、２０Ｆ  逆Ｆアンテナ
１００、４０１ＡＳ  平行面
１０１、４０１ＤＳ  垂直面
１０１Ａ、４０２Ａ  本体部
１０１Ｂ、４０２Ｂ  短絡部
１０１Ｃ、４０２Ｃ  給電部
２００  制御部
２０１  無線信号送受信部
３００  回路基板
４００  液晶モジュール
４０１Ａ  上部外枠
４０１Ｂ  下部外枠
４０１Ｃ  左部外枠
４０１Ｄ  右部外枠
４０３  液晶セル
１０００  筐体
１０１０  傾斜面
Ｎ  通信ネットワーク
【図１】
2015050580.tif 000003
【図２】
2015050580.tif 000004
【図３Ａ】
2015050580.tif 000005
【図３Ｂ】
2015050580.tif 000006
【図４Ａ】
2015050580.tif 000007
【図４Ｂ】
2015050580.tif 000008
【図５】
2015050580.tif 000009
【図６Ａ】
2015050580.tif 000010
【図６Ｂ】
2015050580.tif 000011
【図７】
2015050580.tif 000012
【図８】
2015050580.tif 000013
【図９】
2015050580.tif 000014